(57)【要約】【課題】外被を傷付けることなく、外被の全周を均一に加締めることができる光ケーブルの端末固定構造及び光モジュールを提供する。【解決手段】光ケーブルの端末固定構造は、光ケーブル端末固定具３０が外被１８を固定するよう外周面が滑らかに加工された外被固定部３３と光ファイバ心線１４を挿通するケーブル挿通路３５とを有する筒状の本体部３１と、外被固定部３３の外周面に加締められる、内周面が滑らかに加工された圧着部３２とを備えている。そして、光ファイバ心線１４がケーブル挿通路３５に挿通されるとともに、外被１８が外被固定部３３に被せられ、その外周から圧着部３２が外被固定部３３の外周面の全周にわたって加締められる。【選択図】図６
2013137348.tif 000002
【特許請求の範囲】
【請求項１】
光ファイバの外側に外被を有する光ケーブルの端末固定構造であって、
前記外被を固定するよう外周面が滑らかに加工された外被固定部、および、前記外被固定部の内側に前記光ファイバを挿通するケーブル挿通路とを有する筒状の本体部と、
前記外被固定部の外周面に加締められる、内周面が滑らかに加工された圧着部と、を備える光ケーブル端末固定具を備え、
前記光ファイバが前記ケーブル挿通路に挿通されるとともに、前記外被が前記外被固定部に被せられ、その外周から前記圧着部が前記外被固定部の外周面の全周にわたって加締められていることを特徴とする光ケーブルの端末固定構造。
【請求項２】
請求項１に記載の光ケーブルの端末固定構造において、
前記圧着部がその両端に圧着片と前記圧着片に隣接して切り欠き部を有し、
一端側の前記切り欠き部に他端側の前記圧着片が加締められていることを特徴とする光ケーブルの端末固定構造。
【請求項３】
請求項１又は２に記載の光ケーブルの端末固定構造において、
前記光ケーブルが前記光ファイバの外側且つ前記外被の内側に金属層を有し、
前記金属層が前記外被固定部に被せられていることを特徴とする光ケーブルの端末固定構造。
【請求項４】
光ファイバの外側に外被を有する光ケーブルと、前記光ファイバが接続される光電変換部が搭載された回路基板を収容する金属製の筐体と、を備え、
前記筐体の一端に前記光ケーブルの端末部が固定される光モジュールであって、
前記外被を固定するよう外周面が滑らかに加工された外被固定部、および、前記外被固定部の内側に前記光ファイバを挿通するケーブル挿通路とを有する筒状の本体部と、
前記外被固定部の外周面に加締められる、内周面が滑らかに加工された圧着部と、を有する光ケーブル端末固定具を備え、
前記光ファイバが前記ケーブル挿通路に挿通されるとともに、前記外被が前記外被固定部に被せられ、その外周から前記圧着部が前記外被固定部の外周面の全周にわたって加締められていることを特徴とする光モジュール。
【請求項５】
請求項４に記載の光モジュールにおいて、
前記光ケーブルが前記光ファイバの外側且つ前記外被の内側に金属層を有し、
前記金属層が前記外被固定部に被せられるとともに、前記外被の外周から前記圧着部によって前記外被固定部の外周面の全周にわたって圧着されていることを特徴とする光モジュール。
【請求項６】
請求項５に記載の光モジュールにおいて、
前記金属層が前記筐体に半田付けされていることを特徴とする光モジュール。
【発明の詳細な説明】
【技術分野】
【０００１】
本発明は、光ケーブルの端末固定構造及び光モジュールに関する。
【背景技術】
【０００２】
従来の光モジュールは、光ケーブルの光ファイバと接続される光電変換部が搭載された回路基板と、回路基板を収容する金属製の筐体を備えている。この光モジュールは、入出力される電気信号を光電変換部により光信号に変換し、光信号による信号伝送を行っている。
【０００３】
この光モジュールに使用される光ケーブルは、単心又は多心の光ファイバ心線の外側に光ケーブルの引っ張り強度を高める抗張力繊維が縦添えされ、その外側に外被で覆われている（例えば、特許文献１参照）。
【０００４】
この光ケーブルの端末固定構造は、光ケーブル端部の外被が除去され、抗張力繊維が露出される。この露出した抗張力繊維は、光コネクタのハウジングに設けられ、ネジ溝を有する固定部にスリーブ部材によって圧着固定される。スリーブ部材は、非円筒形状であり、圧着時に互いに係合される複数の係合片が設けられている。
【先行技術文献】
【特許文献】
【０００５】
【特許文献１】特開平１１−２３１１７１号公報
【発明の概要】
【発明が解決しようとする課題】
【０００６】
しかしながら、上記光ケーブルの端末固定構造は、抗張力繊維を固定部に圧着固定するとき、固定部のネジ溝によって外被が傷付いてしまう可能性がある。
また、光ケーブルの外被を固定するスリーブ部材は、非円筒形状なので、加締めたときに楕円状に潰れ易く、スリーブ部材と外被の間に隙間が生じてしまい、外被の全周を均等に加締めることができず、固定力が不足する可能性がある。
【０００７】
本発明の目的は、外被を傷付けることなく、外被の全周を均一に加締めることができる光ケーブルの端末固定構造及び光モジュールを提供することにある。
【課題を解決するための手段】
【０００８】
上記課題を解決することができる本発明に係る光ケーブルの端末固定構造は、光ファイバの外側に外被を有する光ケーブルの端末固定構造であって、
前記外被を固定するよう外周面が滑らかに加工された外被固定部、および、前記外被固定部の内側に前記光ファイバを挿通するケーブル挿通路とを有する筒状の本体部と、
前記外被固定部の外周面に加締められる、内周面が滑らかに加工された圧着部と、を備える光ケーブル端末固定具を備え、
前記光ファイバが前記ケーブル挿通路に挿通されるとともに、前記外被が前記外被固定部に被せられ、その外周から前記圧着部が前記外被固定部の外周面の全周にわたって加締められていることを特徴としている。
【０００９】
また、本発明に係る光ケーブルの端末固定構造は、前記圧着部がその両端に圧着片と前記圧着片に隣接して切り欠き部を有し、一端側の前記切り欠き部に他端側の前記圧着片が加締められていることが好ましい。
【００１０】
また、本発明に係る前記光ケーブルが前記光ファイバの外側且つ前記外被の内側に金属層を有し、前記金属層が前記外被固定部に被せられていることが好ましい。
【００１１】
上記課題を解決することができる本発明に係る光モジュールは、光ファイバの外側に外被を有する光ケーブルと、前記光ファイバが接続される光電変換部が搭載された回路基板を収容する金属製の筐体と、を備え、
前記筐体の一端に前記光ケーブルの端末部が固定される光モジュールであって、
前記外被を固定するよう外周面が滑らかに加工された外被固定部、および、前記外被固定部の内側に前記光ファイバを挿通するケーブル挿通路とを有する筒状の本体部と、
前記外被固定部の外周面に加締められる、内周面が滑らかに加工された圧着部と、を有する光ケーブル端末固定具を備え、
前記光ファイバが前記ケーブル挿通路に挿通されるとともに、前記外被が前記外被固定部に被せられ、その外周から前記圧着部が前記外被固定部の外周面の全周にわたって加締められていることを特徴としている。
【００１２】
また、本発明に係る光モジュールは、前記光ケーブルが前記光ファイバの外側且つ前記外被の内側に金属層を有し、前記金属層が前記外被固定部に被せられるとともに、前記外被の外周から前記圧着部によって前記外被固定部の外周面の全周にわたって圧着されていることが好ましい。さらに、前記金属層が前記筐体に半田付けされていることが好ましい。
【発明の効果】
【００１３】
本発明に係る光ケーブルの端末固定構造および光モジュールによれば、外被が外被固定部に被せられ、その外周から圧着部が外被固定部の外周面の全周にわたって加締められるので、外被を傷付けることなく、外被の全周を均一に加締めて固定することができる。
【図面の簡単な説明】
【００１４】
【図１】本発明に係る光モジュールの一実施形態を示す斜視図である。
【図２】図１の光ケーブルの断面図である。
【図３】図１の光モジュールの筐体内部を示す斜視図である。
【図４】本発明に係る光ケーブル端末固定具の一実施形態例を示す斜視図である。
【図５】図４の光ケーブル端末固定具の取り付け状態を示す斜視図である。
【図６】図５の光ケーブル端末固定具の加締め状態を示す斜視図である。
【図７】図６のＡ−Ａ線における断面図である。
【発明を実施するための形態】
【００１５】
以下、本発明に係る光ケーブルの端末固定構造および光モジュールの好適な一実施形態を図面に基づいて説明する。
【００１６】
光モジュールは、光通信技術などにおいて信号（データ）の伝送に用いられるものであり、接続先のパソコンなどといった電子機器に電気的に接続され、入出力される電気信号を光信号に変換して光信号を伝送するものである。
【００１７】
図１に示すように、本実施形態の光モジュール１０は、光ケーブル１１の端部にコネクタモジュールが接続されている。このコネクタモジュールは、先端側に設けられる電気コネクタ１２と、回路基板２２を収容した金属製の筐体２０（図３参照）を被う外装ハウジング１３と、を備えている。光ケーブル１１と筐体２０との接続部分はブーツ１９によって被われている。
【００１８】
図２に示すように、光ケーブル１１は、その横断面で見た中央に、光ファイバテープ心線１４ａを有する。光ファイバテープ心線１４ａは、複数（本例では４本）の光ファイバ心線１４を平面上に並列させて被覆樹脂でテープ状に一体化されたものである。光ファイバテープ心線１４ａは、インナーチューブ１５の内側に収容されている。インナーチューブ１５の周囲には抗張力繊維の束を沿わせてなる介在層１６が設けられている。介在層１６の外周には複数本の金属素線からなる金属層１７が設けられている。金属層１７の外周には絶縁樹脂からなる外被１８が設けられている。
【００１９】
光ファイバ心線１４は、コアとクラッドが石英ガラスである光ファイバ（ＡＧＦ：All Glass Fiber）、クラッドが硬質プラスチックからなる光ファイバ（ＨＰＣＦ：Hard Plastic Clad Fiber）、等を用いることができる。ガラスのコア径が８０μｍの細径ＨＰＣＦを用いると、光ファイバ心線１４が小径に曲げられても破断しにくい。複数の光ファイバ心線１４をテープ化せず単心のままインナーチューブ１５内に収容することもできるが、テープ化されていると、単心の光ファイバ心線１４同士が交差して側圧がかかることによるマイクロベンドロスの発生を防ぐことができる。なお、光ファイバテープ心線１４ａは複数本設けられていても良い。
【００２０】
インナーチューブ１５は、ノンハロゲン難燃性樹脂である例えばＰＶＣ（Polyvinylchloride）などの絶縁樹脂からなる。インナーチューブ１５は、例えば、外径が２．０ｍｍ、厚さが０．５５ｍｍである。介在層１６は、例えば極細径のアラミド繊維であり、束状に集合された状態で光ケーブル１１に内蔵されている。介在層１６は光ケーブル１１における抗張力機能を有する。以下、介在層１６を、抗張力繊維と云う。
【００２１】
金属層１７は、例えば複数本の錫めっき導線を編組したものであり、放熱層としての機能を有する。金属層１７の編組密度は７０％以上、編み角度が４５°〜６０°である。金属層１７を構成する金属素線の外径は、０．０５ｍｍ程度である。金属層１７の熱伝導率は、例えば４００Ｗ／ｍ・Ｋである。金属層１７は、熱伝導を良好に確保するために高密度に配置することが好ましく、一例としては平角線の錫めっき導線で構成されていることが好ましい。外被１８は、例えばポリオレフィンなどの絶縁樹脂から形成されている。外被１８は、例えば、外径が４．２ｍｍ、厚さが０．５ｍｍである。このような構成の光ケーブル１１は、光ファイバ心線１４の側圧特性と、ケーブルとしての柔軟性に優れ、さらに放熱性にも優れている。
【００２２】
図３に示すように、筐体２０は、断面が略矩形形状を呈する筒状の収容部材であり、光ファイバ心線１４が接続される光電変換部２１が搭載された回路基板２２などを収容する収容空間を画成している。また、筐体２０は、前端部に電気コネクタ１２が設けられ、後端部に光ケーブル１１を固定する光ケーブル端末固定具３０が連結されている。筐体２０の材質は、鋼（Ｆｅ系）、ブリキ（錫めっき銅）、ステンレス、銅、真鍮、アルミなどの熱伝導率の高い（好ましくは１００Ｗ／ｍ・Ｋ以上）金属材料により形成されている。
【００２３】
図４に示すように、本実施形態の光ケーブル端末固定具３０は、本体部３１と圧着部３２の２部品構成である。本体部３１は、外被１８を固定する外被固定部３３と、その内部に光ファイバ心線１４を挿通するケーブル挿通路３５と、本体部３１の前端に配置された平板状の基部３４と、から構成されている。外被固定部３３の外周面は、表面加工されて滑らかになっているので、加締めにより金属層１７や外被１８を傷付けることなくスムースに行うことができる。基部３４のケーブル挿通路３５の両側には、光ケーブル１１の抗張力繊維１６を複数本に束ねた抗張力繊維１６を外被固定部３３側の後方へ引き回す凹部３６を有している。
【００２４】
圧着部３２は、外被固定部３３の外周面に加締められるＵ字形状の圧着具であり、両端に圧着片３８と、この圧着片３８に隣接して切り欠き部３９を有している。圧着部３２は、外被固定部３３への加締め時に一端側の切り欠き部３９に他端側の圧着片３８が加締められる。圧着部３２の内周面３７は、表面加工されて滑らかになっている。このように圧着部３２の内周面３７と外被固定部３３の外周面が滑らかに表面加工されていることで、加締め作業を外被１８を傷付けることなくスムースに行うことができる。
【００２５】
次に、光ケーブル１１の光ケーブル端末固定具３０への取り付け手順の一例を説明する。
図５に示すように、光ケーブル１１の外被１８を剥いで露出した金属層１７が外被１８の外周側に折り返される。次に、光ケーブル１１の光ファイバ心線１４、インナーチューブ１５および抗張力線１６が本体部３１のケーブル挿通路３５に挿通されると共に、金属層１７と外被１８が外被固定部３３の外周に被せられる。
【００２６】
次に、ケーブル挿通路３５から挿通された抗張力線１６が、基部３４の表面側から凹部３６を通して外被固定部３３側に引き出される。そして、圧着部３２が外被１８の外周側に折り返された金属層１７のところに移動されるとともに、引き出されていた抗張力線１６が圧着部３２の内周面３７側に押し込まれる。
【００２７】
次に、図６に示すように、圧着部３２が専用の加締治具によって金属層１７の外周面の全周にわたって圧着される。このとき、一端側の切り欠き部３９に他端側の圧着片３８が加締められることで、簡易な構造で外被１８の全周を均一に加締めることができる。これにより、図７に示すように、光ケーブル１１が光ケーブル端末固定具３０に保持固定されると共に、外被１８、金属層１７および抗張力線１６が外被固定部３３と圧着部３２との間に挟持される。
【００２８】
最後に、光ケーブル端末固定具３０が筐体２０の後端部に結合されることにより、筐体２０と光ケーブル端末固定具３０とが物理的且つ熱的に接続される。即ち、筐体２０と光ケーブル１１の金属層１７とが熱的に接続される。
【００２９】
なお、光ケーブル１１の金属層１７の端部が外被１８の外周側に折り返された一例を説明したが、折り返さずに筐体２０に圧着又は半田付けされても良い。また、金属層１７は、本体部３１の基部３４に半田付けにより接合させることも可能である。これにより、光ケーブル端末固定具３０と金属層１７とは、熱的に接続され、筐体２０内で発生した熱を光ケーブル端末固定具３０から放熱させることができる。
【００３０】
上述したように本実施形態の光ケーブルの端末固定構造は、光ケーブル端末固定具３０が外被１８を固定する外被固定部３３と光ファイバ心線１４を挿通するケーブル挿通路３５とを有する筒状の本体部３１と、外被固定部３３の外周面に加締められる圧着部３２とを備えている。そして、光ファイバ心線１４がケーブル挿通路３５に挿通されるとともに、外被１８が外被固定部３３に被せられ、その外周から圧着部３２が外被固定部３３の外周面の全周にわたって加締められる。
【００３１】
前記構成の光ケーブルの端末固定構造によれば、外被１８が外被固定部３３に被せられ、その外周から圧着部３２が外被固定部３３の外周面の全周にわたって加締められるので、抗張力線１６や外被１８を傷付けることなく、外被１８の全周を均一に加締めることができる。
【００３２】
本実施形態の光モジュール１０は、光ファイバ心線１４の周りに介在層（抗張力繊維）１６を有し、該介在層１６の外周に外被１８を有する光ケーブル１１と、光ファイバ心線１４が接続される光電変換部２１が搭載された回路基板２２を収容する金属製の筐体２０と、を備えている。加えて、光モジュール１０は、外被１８を固定する外被固定部３３と光ファイバを挿通するケーブル挿通路３５を有する筒状の本体部３１と、外被固定部３３の外周面に加締められる圧着部３２とを有する光ケーブル端末固定具３０を備えている。そして、光モジュール１０は、光ファイバ心線１４がケーブル挿通路３５に挿通されるとともに、外被１８が外被固定部３３に被せられ、その外周から圧着部３２が外被固定部３３の外周面の全周にわたって加締められる。
【００３３】
前記構成の光モジュール１０によれば、光ケーブル１１が抗張力繊維１６と外被１８の間に金属層１７を有し、金属層１７は外被固定部３３と外被１８の間に介在し金属層１７は外被固定部３３の外周面に加締められる圧着部３２によって外被１８の外周から外被固定部３３の外周面の全周にわたって圧着されている。このようにすれば金属層１７が外被固定部３３と強固に熱的に接続され、外被固定部３３と連結する筐体２０から、熱を光ケーブル１１側へ逃がすことができる。そして、金属層１７から外被１８を通して、熱を外部に効率良く放出できる。
【００３４】
さらに、前述したように金属層１７を筐体２０に半田付けすることによって熱的に接続された光ケーブル端末固定具３０がより強固に筐体２０に結合されることで、筐体２０と光ケーブル端末固定具３０が熱的に接続される。これにより、筐体２０内で発生した熱を光ケーブル端末固定具３０からより効率良く放熱させることができ、熱に強い光モジュール１０を得ることができる。
【００３５】
なお、本発明の光ケーブルの端末固定構造及び光モジュールは、上述した実施形態に限定されるものではなく、適宜、変形、改良等が自在である。
【符号の説明】
【００３６】
１０…光モジュール、１１…光ケーブル、１４…光ファイバ心線、１５…インナーチューブ、１６…介在層（抗張力繊維）、１７…金属層、１８…外被、２０…筐体、２１…光電変換部、２２…回路基板、３０…光ケーブル端末固定具、３１…本体部、３２…圧着部、３３…外被固定部、３４…基部、３５…ケーブル挿通路、３６…凹部、３７…内周面、３８…圧着片、３９…切り欠き部
【図１】
2013137348.tif 000003
【図２】
2013137348.tif 000004
【図３】
2013137348.tif 000005
【図４】
2013137348.tif 000006
【図５】
2013137348.tif 000007
【図６】
2013137348.tif 000008
【図７】
2013137348.tif 000009